(57)【要約】【課題】圧着工程における側方への膨出を抑えた圧着端子を提供する。【解決手段】圧着端子１は、接触部１０、連結部２０、および圧着部３０を有する。そして、圧着部３０は、圧着により電気ケーブルの芯線と導通するワイヤバレル４０と、圧着により電気ケーブルの被覆された部分を把持するインスレーションバレル５０とを有する。ワイヤバレル４０は、底部４１と、底部４１の左右の側縁からそれぞれ立上った一対の壁部４２とを有する。そして、一対の壁部４２の各々は、底部４１側の、例えば垂直に立ち上がった立上り部４３と、その立上り部４３の上端に繋がって側方に広がる拡開部４４とを有する。【選択図】図１
2020145058.tif 000002
【特許請求の範囲】
【請求項１】
第１の底部と該第１の底部の幅方向両縁の各々から立ち上がった一対の第１の側壁とを有し相手コンタクトと接触する接触部、
前記接触部よりも後方の、該接触部から離間した位置に設けられた、電気ケーブルが圧着される圧着部、および
前記接触部と前記圧着部とを連結する、前記第１の底部に繋がる第２の底部と、前記一対の第１の側壁の各々に繋がり該第２の底部の幅方向両縁の各々から立ち上がった一対の第２の側壁とを有する連結部を備え、
前記圧着部が、圧着により電気ケーブルの芯線と導通するワイヤバレルを備え、該ワイヤバレルが、前記第２の底部に繋がる第３の底部と、前記一対の第２の側壁の各々に繋がり該第３の底部の幅方向両縁の各々から立ち上がった一対の第３の壁部とを有し、
前記一対の第３の壁部の各々が、幅方向について前記第１の側壁よりも内側において前記第３の底部から立ち上がった立上り部と、該立上り部の先端からさらに立ち上がりながら該立上り部よりも側方に広がった拡開部とを有することを特徴とする圧着端子。
【請求項２】
前記立上り部が、垂直もしくは前記第３の底部の上に覆い被さる向きに立ち上がっていることを特徴とする請求項１に記載の圧着端子。
【発明の詳細な説明】
【技術分野】
【０００１】
本発明は、電気ケーブルが圧着される圧着部を備えた圧着端子に関する。
【背景技術】
【０００２】
従来より、電気ケーブルが圧着された圧着端子が広く使用されている。この圧着端子にも、益々の小型化および軽量化が求められている。小型の圧着端子を使用することで、端子間距離の小さい小型のコネクタを得ることができる。
【０００３】
しかし、小型のコネクタにおいて、圧着時に側方に膨出する部分が無視できず、圧着端子をコネクタハウジングのキャビティ内に挿入することができないという問題が生じた。
【０００４】
ここで、特許文献１には、曲げ加工を行なう前の展開状態において、接触部とワイヤバレルとの間の連結部に両側からスリット（余肉抑制空隙）を形成しておくことが提案されている。このスリット（余肉抑制空隙）を形成しておくと、曲げ加工時の、側方に張り出す余肉の発生を抑えることができるとされている。
【先行技術文献】
【特許文献】
【０００５】
【特許文献１】特開２０１３−２５９８７号公報
【発明の概要】
【発明が解決しようとする課題】
【０００６】
上掲の特許文献１の提案は、圧着端子の、曲げ加工の段階での余肉の発生を抑えようとする提案である。ただし、この特許文献１の提案は、曲げ加工後よりもさらに後の、電気ケーブルを圧着する工程における側方への膨出の問題を解決するものではない。
【０００７】
本発明は、上記事情に鑑み、圧着工程における側方への膨出を抑えた圧着端子を提供することを目的とする。
【課題を解決するための手段】
【０００８】
上記目的を達成する本発明の圧着端子は、
第１の底部と該第１の底部の幅方向両縁の各々から立ち上がった一対の第１の側壁とを有し相手コンタクトと接触する接触部、
上記接触部よりも後方の、その接触部から離間した位置に設けられた、電気ケーブルが圧着される圧着部、および
接触部と前記圧着部とを連結する、上記第１の底部に繋がる第２の底部と、上記一対の第１の側壁の各々に繋がり第２の底部の幅方向両縁の各々から立ち上がった一対の第２の側壁とを有する連結部を備え、
上記圧着部が、圧着により電気ケーブルの芯線と導通するワイヤバレルを備え、そのワイヤバレルが、上記第２の底部に繋がる第３の底部と、上記一対の第２の側壁の各々に繋がり第３の底部の幅方向両縁の各々から立ち上がった一対の第３の壁部とを有し、
上記一対の第３の壁部の各々が、幅方向について上記の第１の側壁よりも内側において第３の底部から立ち上がった立上り部と、その立上り部の先端からさらに立ち上がりながらその立上り部よりも側方に広がった拡開部とを有することを特徴とする。
【０００９】
ワイヤバレルの形状によっては、圧着工程において連結部に側方への膨出が現れるおそれがある。本発明の圧着端子には、幅方向について第１の両側壁よりも内側において立ち上がった立上り部を有するワイヤバレルが設けられている。これにより、圧着工程において連結部に側方への膨出が現れることが抑制される。
【００１０】
ここで、本発明の圧着端子において、上記の立上り部が、垂直もしくは第３の底部の上に覆い被さる向きに立ち上がっていることが好ましい。
【００１１】
この形状の立上り部を有する場合、圧着工程における連結部に側方への膨出の出現がさらに有効に抑制される。
【発明の効果】
【００１２】
以上の本発明の圧着端子によれば、圧着工程における連結部の側方への膨出が抑えられる。
【図面の簡単な説明】
【００１３】
【図１】本発明の一実施形態の圧着端子を示した図である。
【図２】図１に示した実施形態の圧着端子の、圧着後の形状を示した平面図である。
【図３】比較例としての従来の圧着端子の、図１（Ｂ）の矢印Ｘ−Ｘに対応する部分の、圧着前の断面を示した図（Ａ）と、圧着後の平面図である。
【図４】ワイヤバレルの各種の断面形状を示した図である。
【発明を実施するための形態】
【００１４】
以下、本発明の実施の形態について説明する。
【００１５】
図１は、本発明の一実施形態の圧着端子を示した図である。ここで、図１（Ａ）は斜視図、図１（Ｂ）は平面図、図１（Ｃ）は、図１（Ｂ）に示した矢印Ｘ―Ｘに沿う断面を示した図である。
【００１６】
この圧着端子１は、接触部１０、連結部２０、および圧着部３０を有する。
【００１７】
この実施形態の圧着端子１の接触部１０は、前端に開口１０Ａが形成された箱型であって、底部１１と、底部１１の左右の縁からそれぞれ立ち上がった一対の側壁１２と、上壁１３とを有する。開口１０Ａからは相手端子（不図示）の雄型の接触部が挿入されて、この圧着端子１０と相手端子が電気的に接続される。
【００１８】
また、連結部２０は、接触部１０と圧着部３０とを連結している部分である。この連結部２０は、底部２１と、その底部２１の左右の縁からそれぞれ立ち上がった一対の側壁２２とを有する。ここで、底部２１は、接触部１０の底部１１に繋がり、左右の側壁２２は、接触部１０の左右の側壁１２の各々に繋がっている。
【００１９】
また、圧着部３０は、電気ケーブル２（図２参照）を圧着する部分である。この圧着部３０は、圧着された電気ケーブル２の芯線と導通するワイヤバレル４０と、圧着により電気ケーブル２の被覆された部分を把持するインスレーションバレル５０とを有する。ワイヤバレル４０は、インスレーションバレル５０よりも前端側にある。したがって、連結部２０は、接触部１０とワイヤバレル４０との間を繋いでいる。
【００２０】
ワイヤバレル４０は、底部４１と、底部４１の左右の縁からそれぞれ立ち上がった一対の壁部４２とを有する。ここで、底部４１は、連結部２０の底部２１に繋がり、左右の壁部４２は、連結部２０の左右の側壁２２の各々に繋がっている。
【００２１】
さらに、インスレーションバレル５０も、底部５１と、底部５１の左右の縁からそれぞれ立ち上がった一対の壁部５２とを有する。ここで、底部５１は、ワイヤバレル４０の底部４１に繋がり、左右の壁部５２は、ワイヤバレル４０の左右の側壁４２の各々に繋がっている。
【００２２】
ここで、ワイヤバレル４０の左右の壁部４２は、図１（Ｃ）に示すように、底部４１から立ち上がった立上り部４３と、その立上り部４３の先端からさらに立上った拡開部４４とを有する。立上り部４３は、幅方向について、接触部１０の側壁１２よりも内側において、底部４１から、この実施形態の場合は垂直に、立ち上がっている。そして、この立上り部４３が連結部２０の側壁２２に繋がっている。拡開部４４は、立上り部４３の上端から、その立上り部４３よりも側方に広がっている。
【００２３】
図２は、図１に示した実施形態の圧着端子の、圧着後の形状を示した平面図である。
【００２４】
また、図３は、比較例としての従来の圧着端子の、図１（Ｂ）の矢印Ｘ−Ｘに対応する部分の、圧着前の断面を示した図（Ａ）と、圧着後の平面図である。分かり易さのため、この比較例においても、図１，図２に示した実施形態において使用した符号と同じ符号を付して示し、相違点についてのみ説明する。
【００２５】
図３に示した比較例の場合、ワイヤバレル４０の圧着前の断面は、図３（Ａ）に示す形状となっている。すなわち、この図３（Ａ）の断面を、図１（Ｃ）の断面と比べると、底部４１については、互いに同じ形状となっている。これに対し、壁部４２は、図１（Ｃ）の断面のような立上り部４３と拡開部４４との区別がなく、底部４１から側方に斜めに一様に広がっている。図示は省略しているが、連結部２０の側壁２２は、図３（Ａ）に示す断面形状のワイヤバレル４０の壁部４２に繋がるように、ワイヤバレル４０側が側方に斜めに広がっている。
【００２６】
図３（Ａ）に示した断面形状のワイヤバレル４０を有する圧着端子１の圧着部３０に電気ケーブル２を圧着する。すると、連結部２０に、図３（Ｂ）に示すような、左右に突き出た部分２３が出現する。この左右に突き出た部分２３どうしの幅は、接触部１０よりも広幅である。このため、連結部２０についても接触部１０の幅と同じ幅を想定して設計したコネクタハウジング（不図示）への挿入が困難となる。一方、この左右に突き出た部分２３の出現を予定してコネクタハウジングを設計すると、コネクタ全体が大型化するおそれがある。
【００２７】
この図３を参照しての比較例の説明を踏まえ、実施形態の説明に戻る。
【００２８】
図２に示す平面図から分かるように、ここには、図３（Ｂ）に示したような、左右に突き出た部分２３は出現せず、連結部２０も接触部１０と同じ幅となっている。したがって、この実施形態の圧着端子１の場合、連結部２０についても接触部１０の幅と同じ幅を想定して設計したコネクタハウジングへの挿入が可能となる。
【００２９】
図４は、ワイヤバレルの各種の断面形状を示した図である。ここでは、断面形状が図１（Ｃ）よりも拡大されている。
【００３０】
図４（Ａ）には、図１（Ｃ）と同じ形状の断面が示されている。立上り部４３は、底部４１の左右の縁から垂直に立ち上がっている。また、拡開部４４は、立上り部４３の上端との間に鈍角をなして、側方に斜めに広がっている。
【００３１】
図４（Ｂ）には、第１変形例の断面が示されている。立上り部４３の底部４１の近傍の部分は、図４（Ａ）と同じく垂直に立ち上がっている。ただし、この立上り部４３の上端近傍および拡開部４４の下端近傍は、連続したカーブとなるように曲面に形成されている。
【００３２】
また、図４（Ｃ）には、第２変形例の断面が示されている。この第２変形例の立上り部４３は、底部４１の左右の端縁から、少し内向き、すなわち底部４１の上に覆い被さる向きに立ち上がっている。拡開部４４は、図４（Ａ）と同様に、立上り部４３の上端との間に鈍角をなして、側方に斜めに広がっている。ただし、図４（Ｃ）における拡開部４４は、拡開部４４の上端における開き幅が図４（Ａ）と同じ幅となるように、図４（Ａ）の拡開部４４よりも開き角４５が大きくなっている。
【００３３】
ワイヤバレル４０の断面形状を、図４（Ｂ），（Ｃ）の形状とした場合も、圧着後において図３（Ｂ）に示した比較例のような左右に突き出た部分２３は出現しない。このように、ワイヤバレル４０に、底部４１から垂直に、あるいは底部４１の上に覆い被さる向きに立ち上げた立上り部４３を形成することによって、接触部１０と同じ幅の連結部２０が形成される。
【符号の説明】
【００３４】
１    圧着端子
２    電気ケーブル
１０  接触部
１０Ａ  開口
１１  底部
１２  側壁
１３  上壁
２０  連結部
２１  底部
２２  側壁
３０  圧着部
４０  ワイヤバレル
４１  底部
４２  壁部
４３  立上り部
４４  拡開部
５０  インスレーションバレル
５１  底部
５２  壁部
【図１】
2020145058.tif 000003
【図２】
2020145058.tif 000004
【図３】
2020145058.tif 000005
【図４】
2020145058.tif 000006